(57)【要約】      （修正有）【課題】ケーブルラックを施工後から防火区画貫通の埋めもどし処理までの間、ケーブルラック用開口部を簡単な操作で覆って落下事故を確実に防止できるとともに、再使用できるケーブルラック用開口部のカバー方法およびケーブルラック用開口部のカバー具を得る。【解決手段】建物３の床面４に形成されたケーブルラック用開口部５に取付けられたケーブルラック用架台８および、一方の落下防止用ネット１３を取付ける工程と、他方の落下防止用ネット１５を取付ける工程と、この他方の落下防止用ネットの取付け工程で取付けられた他方の落下防止用ネットおよび前記一方の落下防止用ネットの取付け工程で取付けられた一方の落下防止用ネットを四角部の紐および両端部にフックが取付けられたゴム紐１８で固定する両落下防止用ネットの固定工程とでケーブルラック用開口部のカバー方法を構成している。【選択図】  図５
2008017641.tif 000002
【特許請求の範囲】
【請求項１】
建物の床面に形成されたケーブルラック用開口部に取付けられたケーブルラック用架台および、該ケーブルラック用架台のほぼ中央部より上方へ突出するケーブル支持桁が取付けられた一対の支柱とからなるケーブルラックの一対の支柱に一端部側を取付け、一端部側の開口部を覆うように四角部より外方へ突出する紐が設けられた一方の落下防止用ネットを取付ける一方の落下防止用ネットの取付け工程と、前記ケーブルラックの一対の支柱に一端部側を取付け、他端部側の開口部を覆うように四角部より外方へ突出する紐が設けられた他方の落下防止用ネットを取付ける他方の落下防止用ネットの取付け工程と、この他方の落下防止用ネットの取付け工程で取付けられた他方の落下防止用ネットおよび前記一方の落下防止用ネットの取付け工程で取付けられた一方の落下防止用ネットを四角部の紐および両端部にフックが取付けられたゴム紐で固定する両落下防止用ネットの固定工程とからなることを特徴とするケーブルラック用開口部のカバー方法。
【請求項２】
ケーブルラックの一対の支柱に一端部が取付けられ、一端部側の開口部を覆うことができる四角部より外方へ突出する紐が設けられた一方の落下防止用ネットと、前記ケーブルラックの一対の支柱に一端部側が取付けられ、他端部側の開口部を覆うことができる四角部より外方へ突出する紐が設けられた他方の落下防止用ネットと、この他方の落下防止用ネットと前記一方の落下防止用ネットを固定する両端部にフックが取付けられた複数個のゴム紐とからなることを特徴とするケーブルラック用開口部のカバー具。
【請求項３】
ケーブルラック用開口部の一方を覆うことができる角部より外方へ突出する紐が設けられた一方の落下防止用ネットと、前記ケーブルラック用開口部の他方を覆うことができる角部より外方へ突出する紐が設けられた他方の落下防止用ネットと、この他方の落下防止用ネットの一端部と前記一方の落下防止用ネットの一端部とを開閉できるように取付けられた両方開きファスナーとからなることを特徴とするケーブルラック用開口部のカバー具。
【発明の詳細な説明】
【技術分野】
【０００１】
本発明はビル等の建物にケーブルを配線するためのケーブル配線用開口部にケーブルラックを施行後から防火区画貫通の埋めもどし処理までの間のケーブルラック用開口部のカバー方法およびケーブルラック用開口部のカバー具に関する。
【背景技術】
【０００２】
従来、ケーブルラックを施行後のケーブルラック用開口部は、ケーブルラックの一対のコ字状の架台や、この一対の架台のほぼ中央部より上方へ突出するように取付けられた一対の支柱によってベニヤ板等で覆う場合、ベニヤ板を一対の架台内へ挿入できるように切断しなければ設置することができず、手数がかかるとともに、使い捨て状態となりコスト高になるという欠点があった。
また、ベニヤ板の切断作業が面倒で、ケーブルラック用開口部を開口した状態に放置し、工具やコンクリート片等の下階への落下事故が生じてしまうという欠点があった。
【特許文献１】特になし
【発明の開示】
【発明が解決しようとする課題】
【０００３】
本発明は以上のような従来の欠点に鑑み、ケーブルラックを施工後から防火区画貫通の埋めもどし処理までの作業の経過によってケーブルラック開口部の形状が変化しても、ケーブルラック用開口部を簡単な操作で確実に覆って落下事故を確実に防止することができるとともに、使い捨てることなく再使用ができて、経済的に使用することができるケーブルラック用開口部のカバー方法およびケーブルラック用開口部のカバー具を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は建物の床面に形成されたケーブルラック用開口部に取付けられたケーブルラック用架台および、該ケーブルラック用架台のほぼ中央部より上方へ突出するケーブル支持桁が取付けられた一対の支柱とからなるケーブルラックの一対の支柱に一端部側を取付け、一端部側の開口部を覆うように四角部より外方へ突出する紐が設けられた一方の落下防止用ネットを取付ける一方の落下防止用ネットの取付け工程と、前記ケーブルラックの一対の支柱に一端部側を取付け、他端部側の開口部を覆うように四角部より外方へ突出する紐が設けられた他方の落下防止用ネットを取付ける他方の落下防止用ネットの取付け工程と、この他方の落下防止用ネットの取付け工程で取付けられた他方の落下防止用ネットおよび前記一方の落下防止用ネットの取付け工程で取付けられた一方の落下防止用ネットを四角部の紐および両端部にフックが取付けられたゴム紐で固定する両落下防止用ネットの固定工程とでケーブルラック用開口部のカバー方法を構成している。
【０００６】
本発明はケーブルラックの一対の支柱に一端部が取付けられ、一端部側の開口部を覆うことができる四角部より外方へ突出する紐が設けられた一方の落下防止用ネットと、前記ケーブルラックの一対の支柱に一端部側が取付けられ、他端部側の開口部を覆うことができる四角部より外方へ突出する紐が設けられた他方の落下防止用ネットと、この他方の落下防止用ネットと前記一方の落下防止用ネットを固定する両端部にフックが取付けられた複数個のゴム紐とでケーブルラック用開口部のカバー具を構成している。
【０００７】
本発明はケーブルラック用開口部の一方を覆うことができる角部より外方へ突出する紐が設けられた一方の落下防止用ネットと、前記ケーブルラック用開口部の他方を覆うことができる角部より外方へ突出する紐が設けられた他方の落下防止用ネットと、この他方の落下防止用ネットの一端部と前記一方の落下防止用ネットの一端部とを開閉できるように取付けられた両方開きファスナーとでケーブルラック用開口部のカバー具を構成している。
【発明の効果】
【０００８】
以上の説明から明らかなように、本発明にあっては次に列挙する効果が得られる。
【０００９】
（１）建物の床面に形成されたケーブルラック用開口部に取付けられたケーブルラック用架台および、該ケーブルラック用架台のほぼ中央部より上方へ突出するケーブル支持桁が取付けられた一対の支柱とからなるケーブルラックの一対の支柱に一端部側を取付け、一端部側の開口部を覆うように四角部より外方へ突出する紐が設けられた一方の落下防止用ネットを取付ける一方の落下防止用ネットの取付け工程と、前記ケーブルラックの一対の支柱に一端部側を取付け、他端部側の開口部を覆うように四角部より外方へ突出する紐が設けられた他方の落下防止用ネットを取付ける他方の落下防止用ネットの取付け工程と、この他方の落下防止用ネットの取付け工程で取付けられた他方の落下防止用ネットおよび前記一方の落下防止用ネットの取付け工程で取付けられた一方の落下防止用ネットを四角部の紐および両端部にフックが取付けられたゴム紐で固定する両落下防止用ネットの固定工程とからなるので、ケーブルラック用架台や一対の支柱があっても簡単にケーブルラック用開口部を２つの落下防止用ネットで覆うことができる。
したがって、工具やコンクリート片等の落下を防止することができる。
【００１０】
（２）前記（１）によって、２つの落下防止用ネットを両端部にフックが取付けられたゴム紐で固定するとともに、落下防止用ネットの四角より外方へ突出する紐によって、落下防止用ネット同志あるいはケーブルラック用架台に紐で取付けることができる。
したがって、着脱可能に確実に取付けることができるとともに、作業の経過によってケーブルラック開口部の形状が変化してもケーブルラック用開口部を確実に覆うように取付けることができる。
【００１１】
（３）前記（１）によって、２枚の落下防止用ネットと複数個のゴム紐を用いるだけでよいので、容易に使用することができるとともに、くり返し使用することができ、経済的に使用することができる。
【００１２】
（４）請求項２、３も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１はケーブルラック用開口部のカバー具２を用いて建物３の床面４に形成されたケーブルラック用開口部５に取付けられたケーブルラック１１の開口部６をカバーするケーブルラック用開口部のカバー方法で、このケーブルラック用開口部のカバー方法１は前記ケーブルラック用開口部５に取付けられたスリーブ７と、このスリーブ７の両端部寄りの部位に位置する一対のコ字状のケーブルラック用架台８、８および、該ケーブルラック用架台８、８のほぼ中央部より上方へ突出するケーブル支持桁９が取付けられた一対の支柱１０、１０とからなるケーブルラック１１の一対の支柱１０、１０に、図３に示すように一端部側を取付け、一端部側の開口部６ａを覆うように四角部より外方へ突出する紐１２、１２、１２、１２、１２、１２、１２、１２が設けられた一方の落下防止用ネット１３を取付ける一方の落下防止用ネットの取付け工程１４と、前記ケーブルラック１１の一対の支柱１０、１０に図４に示すように一端部側を取付け、他端部側の開口部６ｂを覆うように四角部より外方へ突出する紐１２、１２、１２、１２、１２、１２、１２、１２が設けられた他方の落下防止用ネット１５を取付ける他方の落下防止用ネットの取付け工程１６と、この他方の落下防止用ネットの取付け工程１６で取付けられた他方の落下防止用ネット１５および、前記一方の落下防止用ネットの取付け工程１４で取付けられた一方の落下防止用ネット１３を、図５に示すように四角部の紐１２、１２、１２、１２、１２、１２、１２、１２で結び、ケーブルラック１に固定するとともに、両端部にフック１７、１７が取付けられたゴム紐１８、１８、１８でケーブルラック用開口部５が開口しないように固定する両落下防止用ネットの固定工程１９とで構成されている。
【００１５】
前記ケーブルラック用開口部のカバー方法１で使用されるケーブルラック用開口部のカバー具２は、前述の説明で明らかなように前記一方の落下防止用ネット１３と、この一方の落下防止用ネット１３と同構成の他方の落下防止用ネット１５と、複数本、本発明を実施する形態では３本の両端部にフック１７、１７が取付けられたゴム紐１８、１８、１８とで構成されている。
なお、両方の落下防止用ネット１３、１５は、網目は１升づつ編み込んだ目が崩れないものを使用し、１０ｍｍメッシュ以下のものを使用する。
【００１６】
このため、ケーブルラック１１のケーブルラック用架台８や一対の支柱１０、１０に一方の落下防止用ネット１３と他方の落下防止用ネット１５の四角部の紐１２、１２、１２、１２、１２、１２、１２、１２で、一対の支柱１０、１０や両方の落下防止用ネット１３、１５の四角部の紐１２、１２、１２、１２を結んだりして、簡単に着脱可能に取付けることができる。
[発明を実施するための異なる形態]
【００１７】
次に、図６ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図８に示す本発明を実施するための第２の形態において、前記本発明を実施するための最良の第１の形態と主に異なる点は、長辺側のほぼ中央部より外方へ突出する中央紐２０、２０、２０、２０を取付けた両方の落下防止用ネット１３Ａ、１５Ａを用いたケーブルラック用開口部のカバー具２Ａを用いた点で、このようなケーブルラック用開口部のカバー具２Ａを用いたケーブルラック用開口部のカバー方法１Ａを行なっても同様な作用効果が得られるとともに、両方の落下防止用ネット１３Ａ、１５Ａの中央紐２０、２０、２０、２０によって、ケーブルラック１１の開口部６を前記両方の落下防止用ネット１３Ａ、１５Ａ間に開口部が生じないように覆うように結び付けることができる。
【００１９】
図９ないし図１１に示す本発明を実施するための第３の形態において、前記本発明を実施するための最良の第１の形態と主に異なる点は、長辺側の中央部より離れた部位に、先端部にフック１７が取付けられたゴム紐１８Ａ、１８Ａを取付けた両方の落下防止用ネット１３Ｂ、１５Ｂを用いたケーブルラック用開口部のカバー具２Ｂを用いた点で、このようなケーブルラック用開口部のカバー具２Ｂを用いたケーブルラック用開口部のカバー方法１Ｂを行なっても同様な作用効果が得られるとともに、先端部にフック１７が取付けられたゴム紐１８Ａ、１８Ａによって、両方の落下防止用ネット１３Ｂ、１５Ｂ間に開口部が生じないように固定することができる。
【００２０】
図１２ないし図１４に示す本発明を実施するための第４の形態において、前記本発明を実施するための最良の第１の形態と主に異なる点は、一方の落下防止用ネット１３の一端部と他方の落下防止用ネット１５の一端部とを開閉できるように取付けられた両方開きファスナー２１とで開閉可能にした点で、このようなケーブルラック用開口部のカバー具２Ｃを用いても、ケーブルラック１１の開口部６を覆うことができる。
【産業上の利用可能性】
【００２１】
本発明はケーブルラック用開口部のカバー具を製造したり、使用する産業で利用される。
【図面の簡単な説明】
【００２２】
【図１】本発明を実施するための最良の第１の形態の工程図。
【図２】本発明を実施するための最良の第１の形態のケーブルラックおよびカバー具の説明図。
【図３】本発明を実施するための最良の第１の形態の一方の落下防止用ネットの取付け工程の説明図。
【図４】本発明を実施するための最良の第１の形態の他方の落下防止用ネットの取付け工程の説明図。
【図５】本発明を実施するための最良の第１の形態の両落下防止用ネットの固定工程の説明図。
【図６】本発明を実施するための第２の形態の工程図。
【図７】本発明を実施するための第２の形態のケーブルラックおよびカバー具の説明図。
【図８】本発明を実施するための第２の形態の両落下防止用ネットの固定工程の説明図。
【図９】本発明を実施するための第３の形態の工程図。
【図１０】本発明を実施するための第３の形態のケーブルラックおよびカバー具の説明図。
【図１１】本発明を実施するための第３の形態の両落下防止用ネットの固定工程の説明図。
【図１２】本発明を実施するための第４の形態の平面図。
【図１３】本発明を実施するための第４の形態の取付け工程の平面図。
【図１４】本発明を実施するための第４の形態の取付け工程の側面図。
【符号の説明】
【００２３】
１、１Ａ、１Ｂ：ケーブルラック用開口部のカバー方法、
２、２Ａ、２Ｂ、２Ｃ：ケーブルラック用開口部のカバー具            、
３：建物、                                        ４：床面、
５：ケーブルラック用開口部、    ６：ケーブルラック、
６ａ：開口部、                                ７：スリーブ、
８：ケーブルラック用架台、        ９：ケーブル支持桁、
１０：支柱、                                                １１：ケーブルラック、
１２：紐、                                        
１３、１３Ａ、１３Ｂ：一方の落下防止用ネット、
１４：一方の落下防止用ネットの取付け工程、
１５、１５Ａ、１５Ｂ：他方の落下防止用ネット、
１６：他方の落下防止用ネットの取付け工程、
１７：フック、                                １８、１８Ａ：ゴム紐、
１９：固定工程、                            ２０：中央紐、
２１：両方開きファスナー。
【図１】
2008017641.tif 000003
【図２】
2008017641.tif 000004
【図３】
2008017641.tif 000005
【図４】
2008017641.tif 000006
【図５】
2008017641.tif 000007
【図６】
2008017641.tif 000008
【図７】
2008017641.tif 000009
【図８】
2008017641.tif 000010
【図９】
2008017641.tif 000011
【図１０】
2008017641.tif 000012
【図１１】
2008017641.tif 000013
【図１２】
2008017641.tif 000014
【図１３】
2008017641.tif 000015
【図１４】
2008017641.tif 000016